(57)【要約】【課題】  パッケージ容器１５の底部に加わる外力を緩和できるようにすると共に、組立が面倒にならないようにする。【解決手段】  パック支持パネル５をその幅方向の中央の折線１９で端面Ｖ字形に２つ折とし、前記折線１９を底辺としてＶ字形に折り曲げたパック支持パネル５の上辺にスリット１８、１８を形成する。このパック支持パネル５、５と交差するように組み立てられる保持パネル６の下辺にスリット１２を設け、このスリット１２の幅を、前記パック支持パネル５の２枚分の厚さを越える幅とする。このスリット１２に前記スリット１８、１８を差し込んでパック支持パネル５と保持パネル６を互いに交差させる。この状態で、パック支持パネル５を端面Ｖ字形状で保持して箱体の中に収納し、パック支持パネル５の上辺で、箱体内部に収納するパッケージ容器１５の周囲のフランジ１７を載せて支持する。【選択図】      図２
2005178803.tif 000002
【特許請求の範囲】
【請求項１】
底パネル（１）の対向する２辺から箱体の側壁を形成するパネルを起立させ、底パネル（１）の対向する他の２辺から箱体の端壁を形成するパネルを起立させ、隣接するこれら側壁のパネルと端壁のパネルとを互いに固定して上面を開口した箱体を形成したトレイ形包装用箱において、パック支持パネル（５）をその幅方向の中央の折線（１９）で端面Ｖ字形に２つ折とし、前記折線（１９）を底辺としてＶ字形に折り曲げたパック支持パネル（５）の上辺にスリット（１８）、（１８）を形成し、このパック支持パネル（５）、（５）と交差するように組み立てられる保持パネル（６）の下辺にスリット（１２）を設け、このスリット（１２）の幅を、前記パック支持パネル（５）の２枚分の厚さを越える幅とし、このスリット（１２）に前記スリット（１８）、（１８）を差し込んでパック支持パネル（５）と保持パネル（６）を互いに交差させることにより、パック支持パネル（５）を端面Ｖ字形状で保持して箱体の中に収納し、パック支持パネル（５）の上辺で、箱体内部に収納するパッケージ容器（１５）の周囲のフランジ（１７）を載せて支持することを特徴とするトレイ形包装用箱。
【請求項２】
パック支持パネル（５）と保持パネル（６）とが箱体内部を仕切る仕切を兼ねていることを特徴とする請求項１に記載のトレイ形包装用箱。
【請求項３】
パッケージ容器（１５）を収納する区画のパック支持パネル（５）と対向する面側にも、パッケージ容器（１５）の周囲に延設したフランジ（１７）を載せて支持するパック支持パネル（１１）、（１１）が設けられていることを特徴とする請求項１または２に記載のトレイ形包装用箱。
【請求項４】
パック支持パネル（５）の底辺である折線（１９）から上辺の高さは、パッケージ容器（１５）のフランジ（１７）の高さより高いことを特徴とする請求項１〜３の何れかに記載のトレイ形包装用箱。
【発明の詳細な説明】
【技術分野】
【０００１】
本発明は、底パネルの対向する２辺から箱体の側壁を形成するパネルを起立させ、底パネルの対向する他の２辺から箱体の端壁を形成するパネルを起立させ、隣接する側壁のパネルと端壁のパネルとを互いに連結して上面を開口する箱体を形成したトレイ形包装用箱に関し、特に箱体内部に果物等を収納するトレイ状のパッケージ容器１５を収納するトレイ形包装用箱に関する。
【背景技術】
【０００２】
例えば、イチゴ等の生鮮果実を収納したパックを収納して出荷する箱体として前述のようなトレイ形包装用箱が多く使用されている。
このトレイ形包装用箱は、矩形の底パネルの対向する２辺から側パネルを起立させ、底パネルの対向する他の２辺から端パネルを起立させる。そして例えば、側パネルの両側に延設した連結フラップを端パネルの内側で互いに連結し、二重にした端パネルの間に挟み込むか、或いは連結フラップを端パネルに連結することにより、隣接する側パネルと端パネルとを互いに連結したものである。
【０００３】
このようなトレイ形包装用箱は、長さや幅の寸法に比べて比較的浅く、仕切により４つに区画し、それぞれの区画にイチゴのパッケージ容器を収納する。そのために、対向する側パネルの間と対向する端パネルの間にそれぞれ仕切パネルを渡し、これら仕切パネルを中央で互いに差し込んで直交状に交差させている。イチゴのパッケージ容器は、ポリエチレンテレフタレート等からなる薄い透明な樹脂製の容器で、平面長方形であり、側面及び端面が逆台形であり、開口部周囲に一体にフランジが延設されている。
【０００４】
このようなトレイ形包装用箱は、イチゴ等の生鮮果実の生産農家が収穫した生鮮果実を出荷するときにブランクから組み立て、その中に出荷する生鮮果実のパックを詰めてその生鮮果実を出荷する。そして、市場での競り売り等を経て、小売店の店頭に並べられる。小売店の店頭では、パッケージ容器を一単位として生鮮果実が小売りされる。
【０００５】
イチゴのこのような流通過程において、生鮮果実の傷みを防止し、鮮度を保持するためには、荷物の取扱中にトレイ形包装用箱に収納梱包された生鮮果実に外力が及ばないようにしなければならない。特に、路地もののイチゴが出荷される前に出荷されるハウスもののイチゴは、市場で高価に取り引きされ、その分だけイチゴの傷みに対して取引価格が大きく左右される。このため、出荷する側としては、流通過程における傷みを極力防止する必要性がある。
【０００６】
しかしながら、従来のトレイ形包装用箱は、イチゴを収納したパッケージ容器をトレイ形包装用容器の内部に仕切られた各区画に収納しているため、パッケージ容器は底パネルに接した状態で収納される。このため、パッケージ容器に収納された生鮮果実は、トレイ形包装用容器の底パネルの外部から加わる外力を底パネルを介して受けることになる。そのため、流通過程で特にパッケージ容器の底部付近の生鮮果実が傷みやすい。
【特許文献１】特開２００２−３０２１１８号公報
【発明の開示】
【発明が解決しようとする課題】
【０００７】
本発明は、パッケージ容器に生鮮果実を収納した状態で梱包、出荷するための前述のような従来のトレイ形包装用箱の課題に鑑み、その第一の目的は、トレイ形包装用箱の底パネルを介してパッケージ容器の底部に加わる外力を緩和できるようにし、これにより、パッケージ容器に収納し、さらにトレイ形包装用箱に収納した生鮮果実等が傷みにくくすることである。さらにその第二の目的は、そのようなトレイ形包装用箱であっても、組立が面倒にならないようにすることである。
【課題を解決するための手段】
【０００８】
本発明では、前記の目的を達成するため、パッケージ容器１５の周囲のフランジ１７を支持するパック支持パネル５を箱体の内部に設けた。これにより、パッケージ容器１５をその底面だけでなく、そのフランジ１７でも支持されるようにしたものである。或いは、パッケージ容器１５をフランジ１７のみで支持し、底面が箱体の底パネル１に当たらないようにした。これにより、パッケージ容器１５の底面からその中に収納した生鮮果実等の収納物に外力が及ばないようにした。
さらに、パック支持パネル５を端面Ｖ字形の２片とし、なお且つその２片の上辺がそれぞれのパッケージ容器１５のフランジ１７を支持出来るように、箱内で所望の距離を保持した状態で安定して組み込めるように保持パネル６のスリット１２の幅を設定した。
【０００９】
すなわち、トレイ形包装用箱は、底パネル１の対向する２辺から箱体の側壁を形成するパネルを起立させ、底パネル１の対向する他の２辺から箱体の端壁を形成するパネルを起立させ、隣接するこれら側壁のパネルと端壁のパネルとを互いに固定して上面を開口した箱体を形成ししたものである。
【００１０】
本発明では、このようなトレイ形包装用箱において、パック支持パネル５をその幅方向の中央の折線１９で端面Ｖ字形に２つ折とし、前記折線１９を底辺としてＶ字形に折り曲げたパック支持パネル５の上辺にスリット１８、１８を形成する。このパック支持パネル５、５と交差するように組み立てられる保持パネル６の下辺にスリット１２を設け、このスリット１２の幅を、前記パック支持パネル５の２枚分の厚さを越える幅とする。このスリット１２に前記スリット１８、１８を差し込んでパック支持パネル５と保持パネル６を互いに交差させる。この状態で、パック支持パネル５を端面Ｖ字形状で保持して箱体の中に収納し、パック支持パネル５の上辺で、箱体内部に収納するパッケージ容器１５の周囲のフランジ１７を載せて支持する。
【００１１】
このような本発明によるトレイ形包装用箱では、パッケージ容器１５を箱体内部に収納したとき、パッケージ容器１５の周囲に延設したフランジ１７がパック支持パネル５の上辺で支持されるため、箱体を介してパッケージ容器１５に加わる外力をそのフランジ１７でも受けることが出来る。これにより、箱体の底パネル１を介してパッケージ容器１５の底面に加わる外力を緩和することが出来る。
【００１２】
そして、パック支持パネル５を端面Ｖ字形の２片とし、そのスリット１８、１８との差込により交差させる保持パネル６のスリット１２の幅をパック支持パネル５の２枚以上の幅に設定したことにより、仕切パネル５は自らの弾力で展開しようとする力が前記の保持パネル６のスリット１２により規制される。これにより、パック支持パネル５が端面Ｖ字形に保持されると共に、その開き角が所要の角度に規制される。これにより、１枚のパック支持パネル５の２つの上辺により、隣接する区画に収納するパッケージ容器１５のフランジ１７をそれぞれ支持することが出来る。
【００１３】
このようなパック支持パネル５と保持パネル６との組立は、パック支持パネル５を折線１９で端面Ｖ字形に折り曲げ、そのスリット１８、１８を保持パネル６のスリット１２に差し込んで交差させ、第一と保持パネル５、６を箱内に組み込むだけで完了する。パック支持パネル５の２つの上片の間隔も、同仕切パネル５の折線１９における弾力と保持パネル６のスリット１２により自ずと規制されるので、特別にその間隔を所要の間隔にするための手数が必要無い。
このようなパック支持パネル５とそれを保持する保持パネル６とは、箱体の内部を仕切る仕切を兼ねることが出来る。その場合に、従来の単板の仕切パネルに比べ、格別仕切の組立が面倒とはならない。
【００１４】
なお、パッケージ容器１５を箱内で安定して支持するためには、パッケージ容器１５を収納する各区画のパック支持パネル５と対向する面側にも、パッケージ容器１５の周囲に延設したフランジ１７を載せて支持するパック支持パネル１１、１１を設ける。
さらに、パック支持パネル３やパック支持パネル１１の底パネル１からの高さをパッケージ容器１５のフランジ１７の高さより高くすることにより、パッケージ容器１５の底面が箱体の底パネル１に当たらなくなる。これにより、箱体の底パネル１を介してパッケージ容器１５の底面に加わる外力を殆ど無くすことが出来る。
【発明の効果】
【００１５】
このように、本発明によるトレイ形包装用箱では、箱体の底パネル１を介してパッケージ容器１５の底面に加わる外力を緩和するか、或いは殆ど無くすことが出来るので、箱体の底パネル１を介してパッケージ容器１５の中に収納した収納物に及ぶ外力を緩和し、或いは無くすことが出来る。このため、生鮮果実等の収納物の傷みや破損を防止することが出来る。
【００１６】
さらに、パック支持パネル５とそれを保持する保持パネル６との組立は極めて簡単であり、組立時に特段の配慮や動作をしなくても、パック支持パネル５と保持パネル６とを組み立てた状態でパック支持パネル５の２つの上辺の間隔を隣接するパッケージ容器１５のフランジ１７をそれぞれ支持するのに支障ない最適の間隔に設定出来る。特に、パック支持パネル５とそれを保持する保持パネル６とが、箱体の内部を仕切る仕切を兼ねる場合は、従来の単板の仕切パネルとほぼ同等の手数で仕切の組立が可能となる。
【発明を実施するための最良の形態】
【００１７】
本発明では、箱体内部でパッケージ容器１５の周囲のフランジ１７を支持するパック支持パネル５を端面Ｖ字形の２片とし、このパック支持パネル５の上辺に設けたスリット１８、１８を保持パネル６の下辺に設けたスリット１２に差し込んで交差させる。このとき、パック支持パネル５を端面Ｖ字形の開き角を、保持パネル６の下辺のスリット１２の幅で規制し、パック支持パネル５の２つの上辺の間隔を、パッケージ容器１５の周囲のフランジ１７を支持するのに最適な間隔に保持するようにした。
以下、このような本発明の実施例について、図面を参照しながら具体例を挙げて詳細に説明する。
【実施例１】
【００１８】
図１は、本発明の一実施形態によるトレイ形包装用箱のブランクの展開図である。このブランクは、厚紙により形成され、最も一般的には、波状に折り曲げた紙製の中芯をその両側から紙製のライナーでラミネートした段ボール板により形成される。同図において、実線は外形線と切断線、破線は折線を表す。
【００１９】
矩形の底パネル１の両側部、すなわち図１において底パネル１の左右両側の折線から、一対の側外パネル２、２が延設されている。この側外パネル２、２の幅、すなわち図１において上下の寸法は、底パネル１の側辺の長さとほぼ同じである。この側外パネル２、２の両側、すなわち図１において上下の端の折線からは、補助フラップ９、９が延設されている。この補助フラップ９、９の高さは、側外パネル２、２と同じである。
【００２０】
この側外パネル２、２の両側部、すなわち図１において側外パネル２、２の左右両側には、二点差線で示す平行な２本の折線を介して側内パネル８、８が延設されている。この側内パネル８、８は、側外パネル２、２に対し、二点差線で示す平行な２本の折線に沿って図１において紙面手前側に折り曲げることができる。二点差線で示す平行な２本の折線の両端に近い位置には、後述する連結フラップ１０、１０の差込フラップ１３、１３を差し込むためのスリット１４、１４が開設されている。
【００２１】
前記の側内パネル８、８の両側、すなわち図１において上下の端の折線からは、第二の補助フラップ７、７’が延設されている。この第二の補助フラップ７、７’の先端側には、後述するようにして箱体を組み立てるとき、それら第二の補助フラップ７、７’の先端部を互いに係合することが出来るような台形状の凹部と凸部をそれぞれ有する。
【００２２】
矩形の底パネル１の両端部、すなわち図１において底パネル１の上下の折線から、一対の端外パネル３、３が延設されている。この端外パネル３、３の幅、すなわち図１において左右の寸法は、底パネル１の幅とほぼ同じである。また、端外パネル３、３の高さは、前記側外パネル２、２とほぼ等しい。正確にはブランク１枚分の厚さ程度高い。
【００２３】
この端外パネル３、３の上辺、すなわち図１において上下の辺には、２本の平行な折線を介して端内パネル４、４が延設されている。さらに、この端内パネル４、４の下辺、すなわち図１において上下の辺には、折線を介してパック支持パネル１１、１１が延設されている。この折線は折り曲げしやすいように、両側の２個所でコ字形の切断線となっている。パック支持パネル１１の高さは、端外パネル３、３より低い。パック支持パネル１１、１１の上両側は、円弧状となっている。
【００２４】
端内パネル４、４の両側から前記第二の補助フラップ９、９の先端側にかけて連結フラップ１０、１０が切り出されている。この連結フラップ１０、１０の基部となる折線は、は、端外パネル３、３の上辺とな折線と共通している。連結フラップ１０、１０は、この折線の両端部をそれぞれ中心とする９０゜の扇状のものである。この連結フラップ１０、１０の両側は、前記第二の補助フラップ９、９の先端部を切り出して形成した差込フラップ１３、１３であり、この差込フラップ１３、１３の基部は折線となっている。この差込フラップ１３、１３は舌片状であり、後述する箱体の組み立て時に前記スリット１４、１４に挿入しやすく、且つ挿入した後は抜け難いように、舌片状の基部に顎状の突起が形成されている。
【００２５】
図１に示すように、箱体の本体を形成するブランクとは分離して、パック支持パネル５、５と保持パネル６とが切り出されている。図示の例は、パック支持パネル５、５と保持パネル６とが、箱体の内部を仕切る仕切を兼ねる例である。これらパック支持パネル５、５と保持パネル６とは交差して組み立てられた状態で箱体の中に配置され、箱体の中を複数の区画に仕切る。
【００２６】
パック支持パネル５は、その幅方向の中央に長手方向に沿って設けられた折線１９により２つ折りされるものである。この折線１９により、端面がＶ字形になるように２つ折りされて使用され、折線１９が底辺、その両側の２辺が上辺となる。パック支持パネル５の底辺である折線１９から上辺である両側辺までの高さは、後述するパッケージ容器１５のフランジ１７の高さより高い。また、このパック支持パネル５の幅、すなわち図１において上下の寸法は、底パネル１の側外パネル２、２との折線間の距離、すなわち底パネル１の図１において左右の寸法より僅かに小さい。このパック支持パネル５の上辺の両角部は円弧状となっている。
このパック支持パネル５の上辺、すなわち図１において上下の縁の中央から縦に、そのパック支持パネル５の高さの約半分程の深さのスリット１８、１８が切り込まれている。
【００２７】
このパック支持パネル５に交差して組み立てられる保持パネル６は単板であるが、２枚以上の複合パネルであってもよい。この保持パネル６の高さは、前記側外パネル２、２及び端外パネル３、３の高さとほぼ等しいか若干低い。この保持パネル６の長さ、すなわち図１において左右の寸法は、底パネル１の端外パネル３、３との折線間の距離、すなわち図１において底パネル１の上下の寸法よりやや小さい。
【００２８】
この保持パネル６の下辺中央部からは、スリット１２が切り込まれている。このスリット１２の深さは、端面Ｖ字形に二つ折りした保持パネル６の高さの約半分程である。このスリット１２の幅は、パック支持パネル５の２枚分を越えるの幅を有する。具体的には、端面Ｖ字形に二つ折りした保持パネル６のＶ字形に開き角度を規制し、パック支持パネル５の２つの上辺を所望の距離に維持する幅とする。これについては後述する。このスリット１２の下端部の角は、いわゆる面取りされ、やや幅が広くなっている。
【００２９】
このようなブランクからトレイ形包装用箱を組み立てる手順について次に説明する。
まず、本体の側外パネル２、２の両側の折線から補助フラップ９、９を何れも内側、すなわち図１において紙面の手前側にほぼ９０゜折り曲げ、さらに、側外パネル２、２を底パネル１との折線から図１において紙面の手前側にほぼ９０゜折り曲げ、箱体の側面外壁を形成する。このとき補助フラップ９、９は、箱体の端面側に位置する。
【００３０】
また、側内パネル８、８の両側の連結フラップ７、７’をその折線から図１において紙面の奥側にほぼ９０゜折り曲げる。さらに、側内パネル８、８を側外パネル２、２との２本の折線で９０゜ずつ図１において紙面の手前側に折り曲げる。このとき、連結フラップ７、７’は、箱体の端面側に位置し、両側の連結フラップ７、７’の先端側が重なるので、それらの先端部の凹凸を係合し、箱体の端面で互いに連結する。
【００３１】
次に、端外パネル３、３を底パネル１との折線から図１において紙面の手前側に９０゜折り曲げ、これを側内パネル２、２の両側から延設された補助フラップ９、９の外側に添える。続いて端内パネル４、４を、端外パネル３、３との境界である２本の折線で９０゜ずつ箱体の内側に折り曲げ、これを側外パネル２、２の両側から延設された補助フラップ９、９の内側に添える。同時に、パック支持パネル１１を端内パネル４、４との折線から図１において紙面の奥側に１８０゜近く折り曲げ、パック支持パネル１１、１１を端内パネル４、４の内側に起立させる。
【００３２】
図２は箱体の組み立て途中の状態であり、奥側の端外パネル３、端内パネル４及びパック支持パネル１１を折り曲げて箱体の端部を構成した状態を示している。手前側の端外パネル３、端内パネル４及びパック支持パネル１１は、組み立てる手順が分かりやすいようにを展開したままの状態で示している。
【００３３】
次に、パック支持パネル５、５をの折線１９でほぼ１８０゜折り曲げて重ね合わせると共に、このパック支持パネル５、５のスリット１８、１８を上側にする。他方、保持パネル６は、スリット１２を下側にしてパック支持パネル５、５と直交状に配置する。この状態で、パック支持パネル５、５のスリット１８、１８を保持パネル６のスリット１２嵌め込んで直交状に交差させる。その後パック支持パネル５、５の折り曲げた状態を開放すると、パック支持パネル５、５はその弾力により端面がＶ字形になるように開き、その開く角が保持パネル６のスリット６の幅で規制される。
【００３４】
こうして組み立てたパック支持パネル５、５と保持パネル６を、それぞれ組み立てた箱体の幅方向と長手方向に向けて、その中に挿入する。これにより、箱体の内側は、パック支持パネル５、５と保持パネル６とにより４つの部分に区画される。また、前述した端面側のパック支持パネル１１、１１は、自らの弾力により箱体内側へと傾斜しようとするが、その傾斜角は保持パネル６の両端により押さえて規制する。
【００３５】
この箱体の内部のパック支持パネル５、５と保持パネル６とにより区画された４つの部分には、図２に示すようなトレイ状のパッケージ容器１５を収納する。このパッケージ容器１５は、イチゴ等の生鮮果実を収納するためのもので、収納部１６の開口部の周囲にフランジ１７を有する。パッケージ容器１５は、パック支持パネル５、５と保持パネル６とにより区画された部分に収納された状態でそのフランジ１７の一部、すなわちフランジの端部側が前述したパック支持パネル５、５とパック支持パネル１１、１１により支持される。
【００３６】
図４の部分断面図に示すように、パック支持パネル５、５はその弾力により端面がＶ字形になるように開いているが、その開き角が保持パネル６のスリット６の幅ｗで規制されることにより、２つの上辺がパッケージ容器１５のフランジ１７を支持するのに最適な距離Ｄに保持される。また、箱体の端面側のパック支持パネル１１、１１は、その傾斜角が保持パネル６の両端により規制されることにより、パック支持パネル１１、１１の上辺の端内パネル４、４からの距離もパッケージ容器１５のフランジ１７を支持するのに最適な距離Ｄに保持される。
【００３７】
箱体を組み立てた状態でパック支持パネル５、５、１１、１１の底パネル１の内面からの高さは、パッケージ容器１５の収納部１６の底面からフランジ１７の高さより高くなっており、このためパック支持パネル５、５と保持パネル６とにより区画された部分に収納されたパッケージ容器１５は、その底面が箱体の底パネル１には接触しない。このため、箱体の底パネル１を介してパッケージ容器１５の底面に加わる外力を殆ど無くすことが出来る。パッケージ容器１５の中に収納した生鮮果実等の収納物の傷みや破損を防止することが出来る。
【００３８】
さらに、連結フラップ１０、１０の両側の差込フラップ１３、１３を、その基部の折線で箱体の内側に折り曲げ、続いて連結フラップ１０、１０を、その基部の折線で箱体の内側に折り曲げ、差込フラップ１３、１３をスリット１４、１４に挿入しする。差込フラップ１３、１３をスリット１４、１４に挿入した後は、差込フラップ１３、１３の基部の顎状の突起がスリット１４、１４の端部に掛かり、差込フラップ１３、１３がスリット１４、１４から抜け難くなる。スリット１４、１４の位置は、差込フラップ１３、１３がこのようにして挿入出来る位置に形成されている。
【００３９】
このようにして、図３に示した完成図のように、箱体の組み立てとパッケージ容器１５の収納が完了する。
連結フラップ１０、１０は、箱体の四隅に平坦な部分を形成し、パッケージ容器１５の抜け出し等を防止すると共に、複数の箱体を上下に重ねた時に、上の箱体を支持する機能を有する。
【実施例２】
【００４０】
図５〜図７は、本発明によるトレイ形包装用箱の他の実施例を示す図である。図５がトレイ形包装用箱のブランクの展開図であり、図６が箱体の組立途中の状態、図７が箱体の組立が完了した状態の部分断面図である。
この実施例は、基本的に図１〜図４により前述した実施例と共通しており、同じ部分は同じ符号で示している。図５の展開図における実線、破線の意味も図１と同様である。
【００４１】
この実施例によるトレイ形包装用箱が図１〜図４により前述した実施例によるトレイ形包装用箱と相違する点は、箱体の端面内側に配置されるパック支持プレート１１、１１が端内パネル４、４に連なっているのではなく、前記のパック支持プレート５と同様の幅方向の中央の折線１９’で端面Ｖ字形に２つ折にするパック支持プレート５’、５’を使用する点である。図６と図７に示すように、パック支持プレート５’、５’を、その折線１９’、１９’を下側にして箱体の端部の端内パネル４、４の内側に挿入する。この状態でパック支持プレート５’、５’は自らの弾力で端面Ｖ字形の折り曲げ角度が開こうとするが、保持プレート６の両端の片側スリット１２’、１２’でその開き角を規制する。
【００４２】
この実施例によるトレイ形包装用箱において、箱体の本体を組み立てる手順は前述した実施例によるトレイ形包装用箱と基本的に同様である。パック支持プレート５’、５’を、箱体の端部の端内パネル４、４の内側に挿入し、保持プレート６の両端の片側スリット１２’、１２’でその開き角を規制する点のみが異なる。
【実施例３】
【００４３】
図８〜図１０は、本発明によるトレイ形包装用箱の他の実施例を示す図である。図８がトレイ形包装用箱のブランクの展開図であり、図９が箱体の組立途中の状態、図１０が箱体の組立が完了した状態の部分断面図である。
この実施例は、基本的に図１〜図４により前述した実施例と共通しており、同じ部分は同じ符号で示している。図８の展開図における実線、破線の意味も図１と同様である。
【００４４】
この実施例によるトレイ形包装用箱が図１〜図４により前述した実施例によるトレイ形包装用箱と相違する点は、仕切を兼ねるパック支持パネル５、５が平面矩形の箱体の中でその中央長手方向に挿入され、これと交差するように組み立てられる保持パネル６が箱体の中央幅方向に挿入される点である。従ってパッケージ容器１５は、その長手方向のフランジ１７が箱体の中央においてパック支持パネル５、５により支持される。
【００４５】
また、パッケージ容器１５のフランジ１７を支持するため、パック支持パネル５、５に対向して箱体の内壁面に設けられるパック支持パネル１１、１１は、矩形の箱の長い方の内壁面を形成する側内パネル８、８の中間部分を切り出すことにより形成されている。すなわち図８に示すように、側内パネル８、８の中間部分を切り出すことにより形成されたパック支持パネル１１、１１は、箱体の内側で下側になる方の折線を介して側内パネル８、８と連なっている。図９に示すように、箱体を組み立てる際に、パック支持パネル１１、１１をその折線から斜め内側に曲げることにより、箱体の側壁側でパッケージ容器１５のフランジ１７を支持するパック支持パネル１１、１１となる。図８〜図１０に示した実施例では、このパック支持パネル１１、１１が側内パネル８、８の中間部分に一連のものとして切り出されている。
【実施例４】
【００４６】
図１１と図１２は、本発明によるトレイ形包装用箱の他の実施例を示す図である。図１１がトレイ形包装用箱のブランクの展開図であり、図１２が箱体の組立途中の状態である。
この実施例によるトレイ形包装用箱は、基本的に図８〜図１０により前述した実施例によるトレイ形包装用箱を若干アレンジしたものであり、同じ部分は同じ符号で示している。
【００４７】
この実施例によるトレイ形包装用箱が図８〜図１０により前述した実施例によるトレイ形包装用箱それと相違する点は、パッケージ容器１５のフランジ１７を支持するため、パック支持パネル５、５に対向して箱体の内壁面に設けられるパック支持パネル１１、１１が、側内パネル８、８の両側に分割して切り出され、形成されている点である。仕切を兼ねるパック支持パネル５、５と保持パネル６が、平面矩形の箱体の中でそれぞれその中央長手方向と中央幅方向に挿入される点やその他の点は、図８〜図１０により前述した実施例によるトレイ形包装用箱と同じである。
【００４８】
なお、以上の各実施例の説明において、箱体の側面と端面は、箱体の上面と底面を除く４面を対向する２組ずつの面に区分して説明するためのもので、箱体の絶対的な位置関係を意味するものではない。それ故例えば、「側外パネル２、２」を「端外パネル２、２」と言い換え、「端外パネル３、３」を「側外パネル３、３」と言い換えることもできることはもちろんである。
【図面の簡単な説明】
【００４９】
【図１】本発明の一実施例によるトレイ形包装用箱を組み立てる前のブランクを示す平面図である。
【図２】同実施例によるトレイ形包装用箱を組み立てる途中の状態を示す斜視図である。
【図３】同実施例によるトレイ形包装用箱の組み立てが完了した状態を示す斜視図である。
【図４】同実施例によるトレイ形包装用箱の組み立てが完了した状態のパック支持パネルと保持プレートとの交差部分を示す要部断面図である。
【図５】本発明の他の実施例によるトレイ形包装用箱を組み立てる前のブランクを示す平面図である。
【図６】同実施例によるトレイ形包装用箱を組み立てる途中の状態を示す斜視図である。
【図７】同実施例によるトレイ形包装用箱の組み立てが完了した状態の箱体の端面側のパック支持パネルと保持プレートとの交差部分を示す要部断面図である。
【図８】本発明のさらに他の実施例によるトレイ形包装用箱を組み立てる前のブランクを示す平面図である。
【図９】同実施例によるトレイ形包装用箱を組み立てる途中の状態を示す斜視図である。
【図１０】同実施例によるトレイ形包装用箱の組み立てが完了した状態の箱体の端面側のパック支持パネルと保持プレートとの交差部分を示す要部断面図である。
【図１１】本発明のさらに他の実施例によるトレイ形包装用箱を組み立てる前のブランクを示す平面図である。
【図１２】同実施例によるトレイ形包装用箱を組み立てる途中の状態を示す斜視図である。
【符号の説明】
【００５０】
１    底パネル
２    側外パネル
３    端外パネル
４    端内パネル
５    パック支持パネル
６    保持パネル
８    側内パネル
１１  パック支持パネル
１２  保持パネルのスリット
１５  パッケージ容器
１７  パッケージ容器のフランジ
１９  パック支持パネルの折線
１８  パック支持パネルのスリット
【図１】
2005178803.tif 000003
【図２】
2005178803.tif 000004
【図３】
2005178803.tif 000005
【図４】
2005178803.tif 000006
【図５】
2005178803.tif 000007
【図６】
2005178803.tif 000008
【図７】
2005178803.tif 000009
【図８】
2005178803.tif 000010
【図９】
2005178803.tif 000011
【図１０】
2005178803.tif 000012
【図１１】
2005178803.tif 000013
【図１２】
2005178803.tif 000014